(57)【要約】【課題】使用者の操作性を向上すること。【解決手段】洗濯機２９に設けた操作表示部３７と、操作表示部３７に設けた運転コースを設定する入力部２６と、操作表示部３７に設けた運転コースの設定内容を表示する表示部２７と、設定された運転コースの行程を制御する制御部３９と、制御部３９へ無線通信により入力を行う端末装置２８と、端末装置２８と無線通信を行う洗濯機送受信部３８と、端末装置２８に設け制御部３９と無線通信を行う端末送受信部３３と、端末装置２８に設けた端末操作部３０と、端末操作部３０に設けた電源スイッチボタン６１と端末入力部３５と端末表示部３４と転送開始スイッチボタン３２とを備え、制御部３９は、電源スイッチボタン６１が入りであった場合に無線通信により洗濯機２９の電源を入り状態に設定することにより、操作性が向上し、コストを低減することができる。【選択図】図１
2014023810.tif 000002
【特許請求の範囲】
【請求項１】
洗濯機に設けた操作表示部と、前記操作表示部に設けた洗濯機の運転コースを設定する入力部と、前記操作表示部に設けた前記運転コースの設定内容を表示する表示部と、設定された運転コースの行程を制御する制御部と、前記制御部へ無線通信により洗濯機の運転コースの入力を行う端末装置と、前記端末装置と無線通信を行う洗濯機送受信部と、前記端末装置に設け前記制御部と無線通信を行う端末送受信部と、前記端末装置に設けた端末操作部と、前記端末操作部に設けた電源スイッチボタンと端末入力部と端末表示部と転送開始スイッチボタンとを備え、前記制御部は、前記電源スイッチボタンが入りであった場合に無線通信により前記洗濯機の電源を入り状態に設定する洗濯機制御システム。
【請求項２】
前記洗濯機送受信部と前記端末送受信部とを近づけることにより無線通信を行う請求項１に記載の洗濯機制御システム。
【発明の詳細な説明】
【技術分野】
【０００１】
本発明は、通信端末によって洗濯機の運転コースを設定する洗濯機制御システムに関するものである。
【背景技術】
【０００２】
従来、この種の洗濯機の制御は、制御部により、例えば、洗い、すすぎ、脱水などの一連の行程をプログラム制御する制御方式が提案されてきた（例えば、特許文献１参照）。
【０００３】
図８は、特許文献１に記載された従来の洗濯機の縦断面図、図９は、同洗濯機のブロック回路図、図１０は、同洗濯機の操作部を示すものである。
【０００４】
図８において、洗濯機１は、略長方体に構成した筐体３を備えており、この筐体３の内部に、略円筒形に構成した水受け槽４を吊り棒５によって吊り下げ、この水受け槽４内に、略円筒形状に構成した洗濯兼脱水槽６を回転自在に内包している。洗濯兼脱水槽６の底部には、撹拌翼７を垂直方向に沿った軸の回りに回転自在に設けている。
【０００５】
水受け槽４外底部には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で撹拌翼７へ伝達する。
【０００６】
水受け槽４の上には、散水用の吐出部を形成するカバー体１０を設けている。また、筐体３の上方には、洗濯兼脱水槽６内に給水する給水弁１１を設けている。また、水受け槽４の下方には、水受け槽４内の洗濯水を排水する排水弁１２を設けている。
【０００７】
水受け槽４の外壁下部に接続部１３を設け、この接続部１３に水受け槽４の水位を検知する水位検知器１４を接続し、水位検知器１４は接続部１３における水圧を電気的な周波数に変換するよう構成している。
【０００８】
また、洗濯機１の上面前部には、操作部２を配設し、運転コース等のモードや各種機能の選択は、使用者が操作部２から入力部２６へ入力して行ない、洗濯機１の上面前部内方に設けられた制御部２２が、その入力情報を基に操作部２の表示部２７に表示して使用者に知らせる。
【０００９】
図９において、モータ８は、インバータ回路１５によって駆動され、インバータ回路１５は、６個のスイッチング素子１６Ａ〜１６Ｆを有し、各スイッチング素子１６Ａ〜１６Ｆは、パワートランジスタと逆導通ダイオードとによって構成される並列回路をそれぞれ有している。
【００１０】
電源１７は、ダイオードブリッジ１８とチョークコイル１９と平滑用コンデンサ２０とによって構成される直流電源変換装置を介してインバータ回路１５へ電圧を供給する。電源１７はまた、ポンプ６０、給水弁１１、排水弁１２、動力切換機構９とに電圧を供給する。
【００１１】
モータ８には、３個の位置検出器２１を設け、各位置検出器２１は、モータ８の回転位置を検出する。
【００１２】
制御部２２は、回転制御部２３を有し、この回転制御部２３は、各位置検出器２１によって検出されたモータ８の回転位置と、水位検知器１４によって検知された水受け槽４の水位とに基づいて、駆動回路２４を制御する。駆動回路２４は、回転制御部２３からの指示に基づいて、インバータ回路１５を駆動する。
【００１３】
ポンプ６０と給水弁１１と排水弁１２と動力切換機構９とは、負荷駆動部２５に接続しており、負荷駆動部２５は、制御部２２からの指示に基づいて、ポンプ６０と給水弁１１と排水弁１２と動力切換機構９とをそれぞれ駆動する。
【００１４】
操作部２は、洗い時間、すすぎ回数、脱水時間などを入力する入力部２６と、入力部２６に入力された洗い時間、すすぎ回数、脱水時間などを表示する表示部２７とを有する。
【００１５】
図１０において、入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。
【００１６】
また、入力部２６には、複数の基本運転コースと特別運転コースとのいずれかを選択する運転コース選択スイッチ２６ｈを設けており、表示部２７に、複数の基本運転コースと特別運転コースとのそれぞれに対応する複数の運転コース選択表示部２７ｅを設けている。ここで、特別運転コースは、入力部２６に入力された洗い時間、すすぎ回数、脱水時間をそれぞれ変更することによって設定する。
【００１７】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。
【００１８】
「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００１９】
特別運転コースは、洗い時間、すすぎ回数、脱水時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００２０】
上記構成において動作を説明する。
【００２１】
運転コース選択スイッチ２６ｈを押すことによって、特別運転コースが選択されると、最も標準的な運転コースである「おまかせコース」に予め規定された洗い時間、すすぎ回数、脱水時間が、洗い時間表示部２７ａ、すすぎ回数表示部２７ｂ、脱水時間表示部２７
ｃに表示される。そして、使用者は、洗い時間表示部２７ａ、すすぎ回数表示部２７ｂ、脱水時間表示部２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２６ａ、すすぎ回数設定スイッチ２６ｂ、脱水時間設定スイッチ２６ｃをそれぞれ複数回押すことによって、特別運転コースを設定する。
【００２２】
その後、制御部２２は、入力部２６によって設定された特別運転コースに基づいて、洗い、すすぎ、脱水の一連の行程を実行するように、駆動回路２４と負荷駆動部２５とを制御する。
【先行技術文献】
【特許文献】
【００２３】
【特許文献１】特開２００２−１１９７８８号公報
【発明の概要】
【発明が解決しようとする課題】
【００２４】
しかしながら、前記従来の構成では、洗濯機が置かれている環境は照明が十分ではない場合が多く、その環境で、特別運転コースの、例えば「おまかせコース」の細かい設定を変更することは、決して楽な動作ではない。高齢者にとっては、苦痛に感じられることもあった。
【００２５】
本発明は、前記従来の課題を解決するもので、洗濯機と端末装置の間に無線による送受信の通信機能を持つことにより、洗濯機の前まで行って操作部のボタンを一々操作することなく、洗濯機から離れた環境の良い場所で設定できるという操作性に優れ、かつ、端末装置の操作によっても洗濯機の電源入り切りを行なうことができる洗濯機制御システムを提供することを目的とする。
【課題を解決するための手段】
【００２６】
前記従来の課題を解決するために、本発明の洗濯機制御システムは、洗濯機に設けた操作表示部と、前記操作表示部に設けた洗濯機の運転コースを設定する入力部と、前記操作表示部に設けた前記運転コースの設定内容を表示する表示部と、設定された運転コースの行程を制御する制御部と、前記制御部へ無線通信により洗濯機の運転コースの入力を行う端末装置と、前記端末装置と無線通信を行う洗濯機送受信部と、前記端末装置に設け前記制御部と無線通信を行う端末送受信部と、前記端末装置に設けた端末操作部と、前記端末操作部に設けた電源スイッチボタンと端末入力部と端末表示部と転送開始スイッチボタンとを備え、前記制御部は、前記電源スイッチボタンが入りであった場合に無線通信により前記洗濯機の電源を入り状態に設定するものである。
【００２７】
これにより、端末装置の操作によっても洗濯機の電源入り切りを行なうことができるので、使用者の操作性を向上することができる。
【発明の効果】
【００２８】
本発明の洗濯機制御システムは、使用者が操作し易い端末装置を具備し、かつ、端末装置の操作により洗濯機の電源入り切りを行うことができるので、操作性向上を実現することができる。
【図面の簡単な説明】
【００２９】
【図１】本発明の実施の形態における洗濯機制御システムの斜視図
【図２】同洗濯機制御システムにおける洗濯機の縦断面図
【図３】同洗濯機制御システムのブロック回路図
【図４】同洗濯機制御システムにおける洗濯機の操作表示部を示す図
【図５】（ａ）同洗濯機制御システムにおける端末装置の端末操作部を示す図、（ｂ）同端末装置の電源入りの設定内容を転送する際の端末操作部を示す図
【図６】同洗濯機制御システムの動作フローチャート
【図７】同、本発明の実施の形態におけるドラム式洗濯機の斜視図
【図８】従来の洗濯機の縦断面図
【図９】同、従来の洗濯機のブロック回路図
【図１０】同、従来の洗濯機の操作部を示す図
【発明を実施するための形態】
【００３０】
第１の発明は、洗濯機に設けた操作表示部と、前記操作表示部に設けた洗濯機の運転コースを設定する入力部と、前記操作表示部に設けた前記運転コースの設定内容を表示する表示部と、設定された運転コースの行程を制御する制御部と、前記制御部へ無線通信により洗濯機の運転コースの入力を行う端末装置と、前記端末装置と無線通信を行う洗濯機送受信部と、前記端末装置に設け前記制御部と無線通信を行う端末送受信部と、前記端末装置に設けた端末操作部と、前記端末操作部に設けた電源スイッチボタンと端末入力部と端末表示部と転送開始スイッチボタンとを備え、前記制御部は、前記電源スイッチボタンが入りであった場合に無線通信により前記洗濯機の電源を入り状態に設定するものである。
【００３１】
これにより、端末装置の操作によっても洗濯機の電源入り切りを行なうことができるので、使用者の操作性を向上することができる。
第２の発明は、特に第１の発明において、前記洗濯機送受信部と前記端末送受信部とを近づけることにより無線通信を行うものである。
【００３２】
これにより、通信を行う際に端末装置を洗濯機に近づける操作が必要となるので、誤動作を防止することができる。
【００３３】
以下、発明の実施の形態について、図面を参照しながら説明する。なお、従来例と同じ構成のものは同一符号を付して説明を省略する。また、この実施の形態によって本発明が限定されるものではない。
【００３４】
（実施の形態１）
図１は、本発明の実施の形態における洗濯機制御システムの斜視図、図２は、同洗濯機制御システムの洗濯機の縦断面図、図３は、同洗濯機制御システムのブロック回路図を示すものである。
【００３５】
図１、図２において、洗濯機２９と端末装置２８とは、無線による通信にて接続されており、使用者は、洗濯機２９の操作表示部３７の入力部２６から操作して、表示部２７にて設定内容を確認して制御することができるとともに、端末装置２８を操作して、洗濯機を制御することもできる。そのため、端末装置２８には、洗濯機２９と情報をやり取りする端末送受信部３３を有し、洗濯機２９の操作表示部３７には、端末装置２８と情報をやり取りする洗濯機送受信部３８を有している。なお、この洗濯機２９の操作表示部３７は水平面ではなく、傾斜面に設けられている。また、洗濯機２９の上面前部内方には、洗濯機を制御する制御部３９が配設されている。
【００３６】
図３において、端末装置２８は、端末操作部３０を備えており、この端末操作部３０には、電源スイッチボタン６１、ネットコース設定部（プログラム設定手段）３１、転送開始スイッチボタン（送信開始指示手段）３２などを設けている。
【００３７】
端末送受信部（端末側送受信手段）３３は、ネットコース設定部３１によって設定されたネットコースの内容を表す情報を、無線による通信にて、洗濯機２９に送信する。ここで、端末操作部３０と端末送受信部３３へ電圧を供給する電源を有し、送信する際のエネルギーを用いて電力供給を行う、近年使用されている携帯電話などに利用されているＮＦＣ（Ｎｅａｒ  Ｆｉｅｌｄ  Ｃｏｍｍｕｎｉｃａｔｉｏｎ）等での動作や、別途電源を持って電池によって構成してもよい。
【００３８】
ネットコース設定部３１は、洗い、すすぎ、脱水の一連の行程の少なくとも１つの行程の内容を変更することによって、洗濯機２９によって実行されるネットコース（プログラム）の内容を設定する。ネットコース設定部３１は、端末表示部３４と端末入力部３５を有し、端末表示部３４にはネットコースで設定されている洗い、すすぎ、脱水の行程の内容が表示される。端末入力部３５によって、設定内容を変更できるようにしている。
【００３９】
運転状態判定手段３６は、端末送受信部３３によって受信したデータによって、洗濯機２９の運転状態を判定するものである。
【００４０】
ここで、端末操作部３０は、タッチパネルによって構成しており、ネットコース設定部３１と転送開始スイッチボタン３２を含むように形成している。
【００４１】
これらの端末送受信部３３は携帯電話そのもので代用可能である。なお、端末操作部３０については、後述する図５において、詳述する。
【００４２】
また、洗濯機２９には、制御部（制御手段）３９を設け、この制御部３９は、記憶部（不揮発性記憶手段）４０を有し、この記憶部４０は、洗濯機送受信部３８によって受信されたネットコース（プログラム）の内容を表す情報や、操作表示部３７から入力された情報を記憶している。また、制御部３９は、洗濯機送受信部３８によって受信され、記憶部４０に記憶されたネットコースの内容を表す情報に基づいて、洗い、すすぎ、脱水の一連の行程をプログラム制御する。
【００４３】
図４は、本発明の実施の形態における洗濯機制御システムの洗濯機の操作表示部を示す図である。
【００４４】
図４において、操作表示部３７の入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅなどを有するとともに、既存コース選択スイッチ２６ｉを有している。
【００４５】
既存コース選択スイッチ２６ｉで洗濯機２９があらかじめ持っているコースのうちの一つを選択し、スタート・一時停止スイッチ２６ｅで運転開始を指示することができる。また、既存コース選択スイッチ２６ｉで選択したコースの洗い時間、すすぎ回数、脱水時間を、洗い時間設定スイッチ２６ａ、すすぎ回数設定スイッチ２６ｂ、脱水時間設定スイッチ２６ｃを押すことによって、変更設定して運転することもできる。
【００４６】
表示部２７は、洗い時間表示部２７ａ、すすぎ回数表示部２７ｂ、脱水時間表示部２７ｃ、乾燥時間表示部２７ｄ、運転コース選択表示部２７ｅなどを有するとともに、端末装置２８にてネットコースが選択された場合に点灯するネットコース表示部２７ｆを有している。
【００４７】
さらに、洗濯機送受信部（機器側送受信手段）３８を有しており、ネットコースの内容
を入力して設定した端末装置２８をこの洗濯機送受信部３８に近づけると、端末装置２８に設けた端末送受信部３３によって情報が送信され、洗濯機２９に入力される。
【００４８】
なお、端末装置２８に設けた端末送受信部３３と洗濯機２９に設けた洗濯機送受信部３８とは、たとえば、ＮＦＣに基づいて情報を送受信する。
【００４９】
図５（ａ）は、本発明の実施の形態における洗濯機制御システムの端末装置の端末操作部を示す図、（ｂ）は、同端末装置のネットコース設定内容を転送する際の端末操作部を示す図である。
【００５０】
図５（ａ）、（ｂ）において、端末装置２８の端末操作部３０の電源スイッチボタン６１を押して、端末装置２８の電源を入りにした後、ネットコース設定部３１にて、端末入力部３５の切換スイッチボタン３５ａ、３５ｂ、３５ｃを押すことにより、ネットコースの洗い時間、すすぎ回数、脱水時間を設定することができ、その設定内容を端末表示部３４で確認することができる。そして、端末装置２８を洗濯機２９の洗濯機送受信部３８に近づけることにより、電源入り設定の内容を洗濯機２９に送信し、洗濯機２９の電源を入り状態にすることができる。また、転送開始スイッチボタン３２を押すことにより、設定内容を洗濯機２９に送信することができる。転送開始スイッチボタン３２については、図６の動作フローチャートにて後述する。
【００５１】
なお、電源スイッチボタン６１を入り状態から再度押して切り状態にして端末装置２８を洗濯機２９の洗濯機送受信部３８に近づけることにより、洗濯機２９の電源を切り状態にもできる。
【００５２】
なお、端末装置２８は、携帯電話の機能として、専用アプリを有して対応することで、その動作を行うこともできる。転送開始スイッチボタン３２については、図６の動作フローチャートにて後述する。なお、端末装置２８は、携帯電話の機能として、専用アプリを有して対応することで、その動作を行うこともできる。
【００５３】
以上のように構成された洗濯機制御システムについて、その動作、作用を説明する。
【００５４】
図６は、本発明の実施の形態における洗濯機制御システムの動作フローチャートである。
【００５５】
図６において、ステップ４０にて、端末装置２８の端末操作部３０に設けた電源スイッチボタン６１を押すと、ステップ４１にて、図５（ａ）に示すように、ネットコース設定内容がネットコース設定部３１に設けた端末表示部３４に表示される。
【００５６】
次に、ステップ４２にて、ネットコース設定内容の初期値から、洗い時間、すすぎ回数、脱水時間のいずれを変更するかを判定する。ステップ４３では、洗い時間が変更された場合を示している。図５（ａ）に示す例では、端末入力部３５であるタッチパネルにユーザがタッチすることによって、洗い時間「６分」が洗い時間「９分」に変更された例を示している。
【００５７】
ステップ４４では、すすぎ回数が変更された場合を示している。図５（ａ）に示す例では、端末入力部３５であるタッチパネルにユーザがタッチすることによって、すすぎ回数「ため１回」がすすぎ回数「ため２回」に変更された例を示している。
【００５８】
ステップ４５では、脱水時間が変更された場合を示している。図５（ａ）に示す例では、端末入力部３５であるタッチパネルにユーザがタッチすることによって、脱水時間「３
分」が脱水時間「７分」に変更された例を示している。
【００５９】
このとき、ステップ４６のように、洗濯機２９の電源は切状態である。つぎに、ステップ４７にて、端末装置２８を洗濯機２９の洗濯機送受信部３８に近づけることにより、ステップ４８にて、端末装置２８の電源スイッチボタン６１により電源入り設定された内容を洗濯機２９の洗濯機送受信部３８に送信することによって、ステップ４９にて、洗濯機２９は電源入り設定を受信し、ステップ５０にて、洗濯機２９の制御部３９は洗濯機２９の電源を入り状態にする。そして、ステップ５１にて、図５（ｂ）に示すように、端末装置２８の端末操作部３０に転送開始スイッチボタン３２を表示する。
【００６０】
次に、ステップ５２にて、使用者が転送開始スイッチボタン３２を押すと、ステップ５３にて、端末送受信部３３からネットコース設定の全データを送信する。
【００６１】
ステップ５４にて、洗濯機２９は洗濯機送受信部３８によってネットコース設定の全データを受信する。つぎに、ステップ５５にて、記憶部４０にネットコース設定の全データを記憶するとともに、ステップ５６にて、操作表示部３７のネットコース表示部２７ｆを点灯させる。記憶部４０は不揮発性であるため、洗濯機２９の電源が遮断されても、全データを保存することができる。
【００６２】
次に、ステップ５７にて、スタート・一時停止スイッチ２６ｅを押すことで、洗濯機２９は、受信したネットコース設定内容に基づいたシーケンスを運転する。なお、端末装置２８の端末操作部３０に設けたスタートボタン６２を押すことでも、洗濯機２９はシーケンスを運転することができる。なお、洗濯機２９は、運転終了後に自動的に電源が切れるが、端末装置２８の電源も自動的に切り状態となる。
【００６３】
以上のように本実施の形態においては、洗濯機と端末装置間で、無線により情報の通信を行なって行程制御するとともに、電源を入り状態にした端末装置の端末送受信部を洗濯機送受信部に近付けることにより、洗濯機の電源を入り状態にするので、使用者の操作性を向上することができる。また、洗濯機本体の電源入りスイッチ、電源切りスイッチを設けずに、端末装置の操作だけでも洗濯機の電源入り切りを行うこともできるようになる。
【００６４】
なお、本実施の形態では、端末装置を洗濯機の洗濯機送受信部に近づけて通信する制御システムを述べたが、赤外線または電波を利用した短距離無線通信技術によって接続されていてもよい。
【００６５】
また、本実施の形態においては、洗濯機の場合の制御システムについて説明したが、プログラム制御される機器は洗濯機に限定するものでなく、マイクロコンピュータを用いてプログラム制御するものであればよく、同様の作用、効果を得ることができる。
【００６６】
なお、本実施の形態１においては主に縦型の洗濯機について例示して説明を行ったが、ドラム式洗濯機についても当然、適用することができる。図７は、本発明の実施の形態におけるドラム式洗濯機の斜視図である。
【産業上の利用可能性】
【００６７】
以上のように、本発明にかかる洗濯機制御システムは、洗濯機と無線にて接続された端末装置からの送受信により、洗濯機を電源入り、切りの状態にすることが可能となるので、電子制御を行なう他の電気機器の用途に適用できる。
【符号の説明】
【００６８】
２６  入力部
２７  表示部
２８  端末装置
２９  洗濯機
３０  端末操作部
３２  転送開始スイッチボタン
３３  端末送受信部
３４  端末表示部
３５  端末入力部
３７  操作表示部
３８  洗濯機送受信部
３９  制御部
６１  電源スイッチボタン
【図１】
2014023810.tif 000003
【図２】
2014023810.tif 000004
【図３】
2014023810.tif 000005
【図４】
2014023810.tif 000006
【図５】
2014023810.tif 000007
【図６】
2014023810.tif 000008
【図７】
2014023810.tif 000009
【図８】
2014023810.tif 000010
【図９】
2014023810.tif 000011
【図１０】
2014023810.tif 000012